(57)【特許請求の範囲】
【請求項１】
肌当接面側に配された表面シート、非肌当接面側に配された裏面シート及びこれら両シート間に配された吸収性コアを備え、着用者の前後方向に対応する長手方向に前方部、排泄部対向部及び後方部を有する吸収性物品であって、
前記吸収性コアは、周囲に位置する部分より厚みが厚く、吸収性物品の肌当接面側に隆起部を形成する中央厚肉領域を有し、該中央厚肉領域の隣接部位又は該中央厚肉領域に外側低坪量溝部を有しており、
前記中央厚肉領域は、前記長手方向に直交する吸収性物品の幅方向における、前記外側低坪量溝部よりも中央側に内側低坪量溝部を有しており、該中央厚肉領域は、少なくとも一部が前記排泄部対向部に位置しており、
前記外側低坪量溝部及び前記内側低坪量溝部は、吸収性物品の長手方向中央線の両側それぞれに形成され、吸収性物品の前方に向かって対応する溝部間の間隔が漸減する前部、及び吸収性物品の後方に向かって対応する溝部間の間隔が漸減する後部を有しており、
前記中央厚肉領域の最大幅部において、前記内側低坪量溝部の幅より前記外側低坪量溝部の幅が広く、
前記中央厚肉領域は、前記排泄部対向部内に収まっているか又は該排泄部対向部から前記後方部の一部に亘って延在しており、且つ前記中央厚肉領域は、前記吸収性コアの厚み方向に亘って連続する一体を成している、吸収性物品。
【請求項２】
前記内側低坪量溝部を、吸収性物品の長手方向中央線の両側それぞれに複数有しており、前記中央厚肉領域の最大幅部において、前記外側低坪量溝部及び前記内側低坪量溝部は、吸収性物品の幅方向中央側から外側に向かって溝部の幅が広くなっている、請求項１に記載の吸収性物品。
【請求項３】
前記外側低坪量溝部及び前記内側低坪量溝部が、それぞれ、平面視円弧状に形成されている、請求項１又は２に記載の吸収性物品。
【請求項４】
前記中央厚肉領域は、前記最大幅部を前記排泄部対向部に有し、該中央厚肉領域の幅が、該中央厚肉領域の前端及び後端に向かって減少している、請求項１〜３の何れか１項に記載の吸収性物品。
【請求項５】
吸収性物品の長手方向中央線の両側に形成された前記外側低坪量溝部どうしが、前記中央厚肉領域の前側及び後側において連続しており、環状の低坪量溝部が形成されている、請求項１〜４の何れか１項に記載の吸収性物品。
【請求項６】
前記外側低坪量溝部と前記内側低坪量溝部との間及び前記内側低坪量溝部どうし間に位置する複数の高坪量部は、前記中央厚肉領域の最大幅部において、前記中央厚肉領域の幅方向中央に位置する高坪量部の幅が最も広い、請求項１〜５の何れか１項に記載の吸収性物品。
【請求項７】
前記表面シート及び前記吸収性コアが一体的に窪んでいる防漏溝が、吸収性物品の長手方向中央線の両側それぞれに、それぞれ、前記中央厚肉領域の側縁部に沿うように形成されている、請求項１〜６の何れか１項に記載の吸収性物品。
【請求項８】
吸収性物品の長手方向中央線の両側に形成された前記防漏溝どうしが、前記中央厚肉領域の前側及び後側の一方又は双方において非連続である、請求項７に記載の吸収性物品。
【請求項９】
前記外側低坪量溝部及び前記内側低坪量溝部は、それぞれの前部及び後部の一方又は両方が、前記中央厚肉領域の前側又は後側に存する直径１０ｍｍの円形領域に向かって延在している、請求項１〜８の何れか１項に記載の吸収性物品。
【発明の詳細な説明】
【技術分野】
【０００１】
本発明は、生理用ナプキン、パンティライナー（おりものシート）、失禁パッド等の吸収性物品に関する。
【背景技術】
【０００２】
吸収性物品の吸収性コアに部分的に厚みの厚い厚肉部分を形成して、肌当接面に隆起部を形成させることによって、身体に対するフィット性を高める技術が知られている（特許文献１参照）。また、本出願人は、そのような吸収性コアの厚肉部分及び薄肉部分に、他の部分よりも吸収体の材料の坪量が少ない溝部を形成し、吸収体の柔軟性やフィット性を向上させることも提案している（特許文献２，３参照）。
【先行技術文献】
【特許文献】
【０００３】
【特許文献１】特開２００６−２３９１６２号公報
【特許文献２】特開２０１５−１１２２３５号公報
【特許文献３】特開２０１５−９７７１６号公報
【発明の概要】
【発明が解決しようとする課題】
【０００４】
しかし、本発明者らは、吸収性コアに局所的に厚みの厚い厚肉部分を設けた生理用ナプキンであっても、就寝時に着用者の大腿部からの圧力を受けると、厚肉部分の幅方向中央部が屈曲し、その吸収性コアが、図６（ｂ）に示すような断面Ｍ字状に変形し、厚肉部分と着用者の肌との間に大きな隙間が形成され、厚肉部分を設けたことによる漏れ防止性の向上効果が充分には得られない場合があることを知見した。
したがって本発明の課題は、前述した従来技術が有する欠点を解消し得る吸収性物品を提供することにある。
【課題を解決するための手段】
【０００５】
本発明は、肌当接面側に配された表面シート、非肌当接面側に配された裏面シート及びこれら両シート間に配された吸収性コアを備え、着用者の前後方向に対応する長手方向に前方部、排泄部対向部及び後方部を有する吸収性物品であって、前記吸収性コアは、周囲に位置する部分より厚みが厚く、吸収性物品の肌当接面側に隆起部を形成する中央厚肉領域を有し、該中央厚肉領域の隣接部位又は該中央厚肉領域に外側低坪量溝部を有し、該中央厚肉領域における外側低坪量溝部よりも、前記長手方向に直交する幅方向の中央側に内側低坪量溝部を有し、該中央厚肉領域は、少なくとも一部が前記排泄部対向部に位置しており、前記外側低坪量溝部及び前記内側低坪量溝部は、吸収性物品の長手方向中央線の両側それぞれに形成され、吸収性物品の前方に向かって対応する溝部間の間隔が漸減する前部、及び吸収性物品の後方に向かって対応する溝部間の間隔が漸減する後部を有しており、前記中央厚肉領域の最大幅部において、内側低坪量溝部の幅より外側低坪量溝部の幅が広い、吸収性物品を提供するものである。
【発明の効果】
【０００６】
本発明の吸収性物品によれば、着用者の大腿部から幅方向に圧縮する力が加わっても、吸収性コアの厚肉領域が、着用者の肌から離れる方向に屈曲しにくく、就寝時にも優れた漏れ防止性が得られる。
【図面の簡単な説明】
【０００７】
【図１】図１は、本発明の一実施形態である生理用ナプキンを示す斜視図である。
【図２】図２は、図１のＩＩ−ＩＩ線断面図である。
【図３】図３は、図１に示す生理用ナプキンの吸収性コアを肌当接面側から視た平面図である。
【図４】図４は、図１に示す生理用ナプキンにおける外側及び内側低坪量溝部を示す拡大平面図である。
【図５】図５（ａ）及び図５（ｂ）は、本発明の他の実施形態である生理用ナプキンの要部を示す図４相当図である。
【図６】図６（ａ）は、図１に示す生理用ナプキンの着用状態における変形状態を示す模式断面図であり、図６（ｂ）は、吸収体が中央厚肉部分を有する従来の生理用ナプキンの着用状態における変形状態を示す模式断面図である。
【図７】図７は、本発明の更に他の実施形態である生理用ナプキンの外側及び内側低坪量溝部を示す図４相当図である。
【発明を実施するための形態】
【０００８】
以下本発明を、その好ましい実施形態に基づき図面を参照しながら説明する。
本発明の一実施形態である生理用ナプキン１（以下、単にナプキン１ともいう）は、図１に示すように、着用者の前後方向に対応する長手方向Ｘに、前方部Ａ、排泄部対向部Ｂ及び後方部Ｃを有している。吸収性物品の長手方向Ｘとは、着用時に着用者の前後方向と一致する方向であり、幅方向Ｙは、吸収性物品の平面視において、長手方向Ｘと直交する方向である。また、排泄部対向部Ｂは、幅方向の中央部に、着用者の液排泄部（膣口等）が対向配置される部分であり、前方部Ａは、排泄部対向部Ｂより着用者の前側（腹側）に配される部分であり、後方部Ｃは、排泄部対向部Ｂより着用者の背中側に配される部分である。
【０００９】
本実施形態のナプキン１は、排泄部対向部Ｂにおける吸収性本体５の左右両側に一対のウイング部７，７、後方部Ｃにおける吸収性本体５の左右両側に一対の後方フラップ部８，８を有している。排泄部対向部Ｂは、本実施形態のナプキン１のように吸収性物品がウイング部を有する場合には、吸収性物品の長手方向Ｘにおいてウイング部７，７を有する領域である。また、本発明において、肌当接面は、吸収性物品における着用時に着用者の肌側に向けられる面であり、非肌当接面は、吸収性物品における着用時に着用者の肌側とは反対側（衣類側）に向けられる面である。
【００１０】
ナプキン１は、図１及び図２に示すように、肌当接面Ｐ側に配された液透過性の表面シート２、非肌当接面Ｑ側に配された液不透過性又は撥水性の裏面シート３、及びこれら両シート２，３間に配された吸収性コア４を備えている。表面シート２は、ナプキン１の幅方向Ｙの中央部に、長手方向Ｘに延びて配されている。ナプキン１の長手方向の両側部には、サイドシート６が配されている。サイドシート６は、図２に示すように、それぞれ、内側縁部６ａ側の一部を表面シート２上に重ねた状態で、内側縁部６ａからやや幅方向Ｙの外方の位置において表面シート２に接合されている。一対のウイング部７，７及び一対の後方フラップ部８，８は、吸収性本体５の両側縁から延出したサイドシート６及び裏面シート３からなる。表面シート２と裏面シート３とは、吸収性コア４の周縁部より外方に延出した部分が接着剤で互いに接合されている。また表面シート２又はサイドシート６と裏面シート３とは、ナプキン１の周縁部に位置する周縁シール部１１においてヒートシール等により熱融着されている。ウイング部７の裏面シート３側の面には、ショーツのクロッチ部の非肌当接面に固定するためのウイング部粘着部（図示せず）が設けられ、吸収性本体５の非肌当接面には、吸収性本体５をショーツの内面に固定するための本体粘着部（図示せず）が設けられている。後方フラップ部８の裏面シート３側の面にも、ショーツの内面に固定するため粘着部が設けられていることが好ましい。
【００１１】
ナプキン１における吸収性コア４は、パルプ繊維等の繊維材料からなる繊維集合体又は該繊維集合体に高吸水性ポリマーを保持させたものからなる。吸収性コア４は、上下両面を、ティッシュペーパーや透水性の不織布からなるコアラップシート（図示せず）によって被覆されている。コアラップシートは、吸収性コアの形成材料の漏れ出しを防止したり、吸収性コアの保形性を高める目的で使用される。表面シート２と、吸収性コア４の肌当接面側を被覆するコアラップシートとの間、及び裏面シート３と吸収性コア４の非肌当接面側を被覆するコアラップシートとの間は、ドット、スパイラル、ストライプ等のパターン塗工された接着剤により互いに接合されていることが好ましい。
【００１２】
図３に示すように、ナプキン１における吸収性コア４は、ナプキン１の長手方向Ｘと同方向に長い形状を有する。したがって、吸収性コア４の長手方向は、ナプキン１の長手方向Ｘと同方向であり、吸収性コア４の横方向は、ナプキン１の幅方向Ｙと同方向である。なお、吸収性コア４は、図３に示すように、長手方向Ｘに延びる一対の側縁４ｓ，４ｓと、円弧状の前端縁４ａ及び後端縁４ｃを有している。
【００１３】
図２に示すように、本実施形態のナプキン１における吸収性コア４は、幅方向Ｙの中央部に中央厚肉領域４１を有している。中央厚肉領域４１は、その周囲を囲む周辺領域４２，４３よりも厚みが厚い。周辺領域４２，４３は、中央厚肉領域４１の左右両側に位置する側方領域４２と、中央厚肉領域４１の前後に位置する前後領域４３とを有しており、本実施形態における周辺領域４２，４３は、厚みが均一である。
そして、表面シート２の下に、中央厚肉領域４１が存在することによって、ナプキン１の肌当接面Ｐ側に、着用者の肌側に向かって突出する隆起部１２が形成されている。
中央厚肉領域４１は、少なくとも一部が、ナプキン１の排泄部対向部Ｂに位置している。中央厚肉領域４１は、排泄部対向部Ｂ内に収まるものであっても良いが、図２に示すように、排泄部対向部Ｂから後方部Ｃの一部に亘って延在していることが、吸収性能の向上、後漏れ防止等の観点から好ましい。また、中央厚肉領域４１は、排泄部対向部Ｂから後方部Ｃの一部に延在するとともに前方部Ａの一部にも延在していても良い。
【００１４】
また、吸収性コア４は、中央厚肉領域４１の隣接部位に外側低坪量溝部５１を有している。図３に示すように、外側低坪量溝部５１は、ナプキン１の長手方向中央線ＣＬの両側それぞれに形成されており、長手方向中央線ＣＬの両側の外側低坪量溝部５１は、それぞれ、ナプキン１の前方に向かって対応する溝部５１，５１間の間隔が漸減する前部５１ａ，５１ａと、ナプキン１の後方に向かって対応する溝部５１，５１間の間隔が漸減する後部５１ｂ，５１ｂとを有している。対応する溝部５１，５１とは、長手方向中央線ＣＬの両側に対をなすように形成されている２本の外側低坪量溝部５１であり、好ましくは、本実施形態のナプキン１におけるように、長手方向中央線ＣＬに対して左右対称に形成された一対の外側低坪量溝部５１，５１である。なお、本実施形態のナプキン１及び吸収性コア４は、ナプキン１の長手方向中央線ＣＬに対して線対称の構造を有している。
【００１５】
また、吸収性コア４の中央厚肉領域４１における外側低坪量溝部５１よりも幅方向中央側に、内側低坪量溝部５２，５３を有している。より具体的には、内側低坪量溝部として、ナプキン１の長手方向中央線ＣＬの両側それぞれに、第１内側低坪量溝部５２、及び第１内側低坪量溝部５２よりもナプキンの幅方向中央側に位置する第２内側低坪量溝部５３を有している。
【００１６】
長手方向中央線ＣＬの両側の第１内側低坪量溝部５２は、それぞれ、ナプキン１の前方に向かって対応する溝部５２，５２間の間隔が漸減する前部５２ａ，５２ａと、ナプキン１の後方に向かって対応する溝部５２，５２間の間隔が漸減する後部５２ｂ，５２ｂとを有している。対応する溝部５２，５２とは、長手方向中央線ＣＬの両側に対をなすように形成されている２本の内側低坪量溝部５２であり、好ましくは、本実施形態におけるように左右対称に形成された一対の内側低坪量溝部５２，５２である。
長手方向中央線ＣＬの両側の第２内側低坪量溝部５３は、それぞれ、ナプキン１の前方に向かって対応する溝部５３，５３間の間隔が漸減する前部５３ａ，５３ａと、ナプキン１の後方に向かって対応する溝部５３，５３間の間隔が漸減する後部５３ｂ，５３ｂとを有している。対応する溝部５３，５３とは、長手方向中央線ＣＬの両側に対をなすように形成されている２本の内側低坪量溝部５３であり、好ましくは、本実施形態におけるように左右対称に形成された一対の内側低坪量溝部５３，５３である。
【００１７】
本発明における外側低坪量溝部は、図２に示す外側低坪量溝部５１のように、吸収性コア４に、外側低坪量溝部５１を挟んでその両側に位置する隣接部におけるよりも、吸収性コアの形成材料の坪量（単位面積当たり量）が低い部分４４を形成することによって形成されている溝部であり、該溝部５１の底部を形成する部分４４は、外側低坪量溝部５１を挟んでその両側に位置する隣接部におけるよりも前記坪量が低い。
本発明における内側低坪量溝部も同様であり、図２に示す内側低坪量溝部５２又は５３のように、吸収性コア４に、内側低坪量溝部５２又は５３を挟んでその両側に位置する隣接部におけるよりも、吸収性コアの形成材料の坪量（単位面積当たり量）が低い部分４５又は４６を形成することによって形成されている溝部であり、該溝部５２又は５３の底部を形成する部分４４又は４６は、内側低坪量溝部５２又は５３を挟んでその両側に位置する隣接部におけるよりも前記坪量が低い。
【００１８】
また、本実施形態のナプキン１においては、図２に示すように、中央厚肉領域４１の最大幅部において、内側低坪量溝部５２，５３の幅Ｗ２，Ｗ３より外側低坪量溝部５１の幅Ｗ１が広く、より具体的には、外側低坪量溝部５１の幅Ｗ１、第１内側低坪量溝部５２の幅Ｗ２、第２内側低坪量溝部５３の幅Ｗ３が、幅Ｗ１＞幅Ｗ２＞幅Ｗ３の関係を有している。
【００１９】
本実施形態のナプキン１によれば、吸収性コア４の中央厚肉領域４１の隣接部位に、ナプキン１の長手方向Ｘに対して傾斜し前方又は後方に向かうに連れて互いに近づく前部５１ａ及び後部５１ｂを有する外側低坪量溝部５１、中央厚肉領域４１に、ナプキン１の長手方向Ｘに対して傾斜し前方又は後方に向かうに連れて互いに近づく前部５２ａ，５３ａ及び後部５２ｂ，５３ｂを有する内側低坪量溝部５２，５３を有し、また、外側低坪量溝部５１の幅Ｗ１が、内側低坪量溝部５２，５３の幅Ｗ１，Ｗ２より広いため、就寝時に着用者の大腿部から幅方向に圧縮する圧力を受けたときに、低坪量溝部５１〜５３が圧縮される一方、吸収性コア４の中央厚肉領域４１が屈曲しにくく、図６（ａ）に示すように、中央厚肉領域４１やそれにより形成される隆起部１２（図１参照）が、着用者の液排泄部９１に近接した状態が維持される。
それにより、液排泄部９１から排泄された液が、スムーズに、吸収容量の大きい中央厚肉領域４１に吸収されるとともに、液排泄部９１から排泄された液が、着用者の肌を伝って漏れ出すことも防止され、就寝時にも優れた漏れ防止性が得られる。
【００２０】
本実施形態のように、吸収性コア４が、内側低坪量溝部を、長手方向中央線ＣＬの両側それぞれに複数有する場合、いずれか１本の内側低坪量溝部の幅が、外側低坪量溝部より狭ければ良く、例えば、本実施形態のナプキン１における、外側低坪量溝部５１の幅Ｗ１、第１内側低坪量溝部５２の幅Ｗ２、第２内側低坪量溝部５３の幅Ｗ３は、以下の関係式（１）〜（３）の何れを満たすものであっても良いが、例えば、以下の関係式（１）を満たす本実施形態のナプキン１のように、吸収性コア４の幅方向中央側から外側に向かって溝部の幅が順に広くなっていることが好ましい。
幅Ｗ１＞幅Ｗ２＞幅Ｗ３    ・・・（１）
幅Ｗ１＝幅Ｗ２＞幅Ｗ３    ・・・（２）
幅Ｗ１＞幅Ｗ２＝幅Ｗ３    ・・・（３）
【００２１】
本実施形態のナプキン１においては、図３に示すように、長手方向中央線ＣＬの両側の外側低坪量溝部５１は、前部５１ａ及び後部５１ｂを含むそれぞれの全体が、平面視して円弧状に形成されているが、本発明における外側低坪量溝部５１は、円弧状又は直線状の前部５１ａと後部５１ｂとの間に、ナプキン１の中央線ＣＬと平行又は非平行に延びる直線状の部分を有していても良い。同様に、本実施形態のナプキン１においては、図３に示すように、長手方向中央線ＣＬの両側の第１及び第２内側低坪量溝部５２，５３が、前部と後部を含むそれぞれの全体が平面視して円弧状に形成されているが、本発明における内側低坪量溝部は、円弧状又は直線状の前部と後部との間に、ナプキン１の中央線ＣＬと平行又は非平行に延びる直線状の部分を有していても良い。
【００２２】
本実施形態のナプキン１における中央厚肉領域４１は、図３に示すように、最大幅部Ｄを排泄部対向部Ｂに有しており、また、中央厚肉領域４１の幅、即ちナプキン１の幅方向Ｙに沿って測定した中央厚肉領域４１の幅が、中央厚肉領域４１の前端及び後端に向かって減少している。中央厚肉領域４１が、このような平面視形状を有することによって、中央厚肉領域４１が一層、圧縮に対して座屈しにくいものとなり、ナプキン１のフィット性や漏れ防止性が向上する。
【００２３】
また本実施形態のナプキン１においては、図２及び図３に示すように、長手方向中央線ＣＬの両側に形成された外側低坪量溝部５１，５１が、中央厚肉領域４１の側縁部４１ｓ，４１ｓを形成している。また、長手方向中央線ＣＬの両側に形成された外側低坪量溝部５１，５１が、図３に示すように、中央厚肉領域４１の前側及び後側において連続しており、それによって、環状の低坪量溝部が形成されている。このように、本実施形態のナプキン１においては、環状の低坪量溝部に囲まれた部分が、中央厚肉領域４１となっている。
環状の低坪量溝部の内側は、中央厚肉領域４１となっているか、中央厚肉領域４１の一部分をなし、外側部分よりも内側部分も厚みが厚い領域となっていることが好ましい。
【００２４】
外側低坪量溝部５１，５１が環状の低坪量溝部を形成していることによって、環状の低坪量溝部に囲まれた中央厚肉領域４１や、環状の低坪量溝部に囲まれた部分が、一層屈曲しにくくなり、漏れ防止効果が向上する。なお、本実施形態のナプキン１においては、外側低坪量溝部５１，５１どうし間の距離が最大となっている部位が、中央厚肉領域４１の最大幅部Ｄと一致しており、外側低坪量溝部５１，５１どうし間の幅方向Ｙに沿う最大距離と、中央厚肉領域４１の最大幅Ｗとが一致している。
【００２５】
また、本実施形態のナプキン１の吸収性コア４においては、図２及び図３に示すように、外側低坪量溝部５１と内側低坪量溝部５２との間４７、第１内側低坪量溝部５２と第２内側低坪量溝部５３との間４８、及び第２内側低坪量溝部５３どうし間４９は、いずれも、各部位を挟む両側の溝部の底部形成部分よりも高坪量である高坪量部となっている。
そして、それらの高坪量部４７〜４９は、それぞれ、ナプキン１の長手方向に長い縦長の形状を有している。また、それらの高坪量部４７〜４９は、中央厚肉領域４１の最大幅部Ｄにおいて、中央厚肉領域４１の幅方向中央に位置する高坪量部４９の幅が最も広くなっている。
中央厚肉領域４１の幅方向中央に位置する高坪量部４９の幅が最も広いと、ナプキン１を下着に固定する際の位置ズレや装着後の動きによるズレなどに対しても、ナプキン１における高坪量部４９の配置位置を、液排泄部に確実に接することができ、高い吸収性により漏れが発生し難くなるといった利点がある。
また本実施形態のナプキン１の吸収性コア４においては、上記の高坪量部４７〜４９は、幅方向中央側に位置するもの程、厚みが厚くなっており、幅方向中央に位置する高坪量部４９における厚みが最も厚くなっている。
【００２６】
本実施形態のナプキン１における吸収性本体５の肌当接面（表面シート２側の面）には、図１〜図３に示すように、表面シート２及び吸収性コア４が一体的に窪んでいる防漏溝１３が、ナプキン１の長手方向中央線ＣＬの両側それぞれに、それぞれ、中央厚肉領域４１の側縁部４１ｓに沿うように形成されている。防漏溝１３は、それぞれ平面視円弧状に形成されているが、それに制限されるものではない。防漏溝１３は、熱を伴うか又は伴わない圧搾加工によって形成されている。防漏溝１３においては、表面シート２と吸収性コア４とが結合一体化している。
中央厚肉領域４１の側縁部４１ｓに沿う防漏溝１３を形成することにより、吸収性コア４の中央厚肉領域４１が一層座屈しにくくなり、ナプキン１のフィット性や漏れ防止性が向上する。
【００２７】
ナプキン１の長手方向中央線ＣＬの両側に形成された防漏溝１３，１３どうしは、図１や図３に示すように、中央厚肉領域４１の前側及び後側の一方又は双方において非連続であることが好ましい。防漏溝１３，１３が、中央厚肉領域４１の前側及び後側の双方において連続していると、前側の連結部分や後側の連結部分を含めた多様な部位で防漏溝１３，１３が屈曲し易くなり、それに伴い中央厚肉領域４１がいびつな形状に変形し易くなるが、両側の防漏溝１３，１３を、中央厚肉領域４１の前側及び後側の何れか一方又は双方、好ましくは双方において非連続とすることで、中央厚肉領域４１がいびつな形状に変形することを防止でき、中央厚肉領域４１の着用者の肌に対するフィット性やナプキン１の防漏効果をより確実に向上させることができる。
【００２８】
また、本実施形態のナプキン１においては、図４に示すように、吸収性コア４に形成された外側低坪量溝部５１及び内側低坪量溝部５２，５３は、それぞれの前部５１ａ，５２ａ，５３ａが、中央厚肉領域４１の前側に存する直径１０ｍｍの円形領域Ｅ１に向かって延在しており、また、それぞれの後部５１ｂ，５２ｂ，５３ｂが、中央厚肉領域４１の後側に存する直径１０ｍｍの円形領域Ｅ２に向かって延在している。
低坪量溝部の前部又は後部が向かって延在しているという表現には、図５（ａ）に示すように、その低坪量溝部が、共通する円形領域Ｅ１又はＥ２内まで実際に達している場合と、図４に示す第１内側低坪量溝部５２及び第２内側低坪量溝部５３のように、実際には、共通する円形領域Ｅ１又はＥ２内まで達していないが、各低坪量溝部５２，５３の延長線が、共通する円形領域Ｅ１又はＥ２内まで達している場合の両者が含まれる。各低坪量溝部の延長線は、各低坪量溝部と重なる円又は楕円を想定し、その円又は楕円の円弧上に想定する。各低坪量溝部と重なる円又は楕円は、各低坪量溝部の長手方向の全長又はできるだけ該全長に近い長さに亘って各低坪量溝部と重なる円又は楕円を想定する。
複数の低坪量凹部の前部又は後部、好ましくは前部及び後部が、一定の範囲内に集束していると、最も変形する屈折ポイントが円形領域Ｅ１、Ｅ２に集中する一方、中央厚肉領域４１の中央付近が変形し難くなることで、高坪量部４９の形状が一層維持され易くなり、漏れや装着時の違和感を防ぐことが可能となる。なお、図４に示すように、外側低坪量溝部５１は、環状の低坪量溝部を形成している一方、内側低坪量溝部５２，５３は、その環状の低坪量溝部に達していないことが、より一層の高坪量部４９の形状の抑制の点から好ましい。
【００２９】
本実施形態のナプキン１の吸収性コア４においては、中央厚肉領域４１を囲む周辺領域４２，４３に、周辺低坪量縦溝部６１と周辺低坪量横溝部６２とが形成されており、中央厚肉領域４１以外の部分においてもフィット性や防漏性能が向上している。また、中央厚肉領域４１の前後に位置する前後領域４３には、周辺低坪量縦溝部６１と周辺低坪量横溝部６２とに囲まれたブロック状の小吸収部６３が複数形成されており、前後領域４３におけるフィット性や防漏性能が一層向上している。
【００３０】
上述した一又は二以上の効果が一層確実に奏されるようにする観点から、ナプキン１は、以下の一又な二以上の構成を有することが好ましい。
ナプキン１における中央厚肉領域４１は、その最大幅Ｗが、吸収性コア４の全幅に対して、好ましくは３０％以上、より好ましくは４０％以上であり、また好ましくは９０％以下、より好ましくは８０％以下であり、また好ましくは５０％以上７５％以下、より好ましくは６０％以上７０％以下である。
中央厚肉領域４１の最大幅Ｗは、中央厚肉領域４１の、ナプキン１の幅方向Ｙに沿う長さである幅が最大となる部位における該幅である。中央厚肉領域４１の最大幅Ｗと対比する吸収性コア４の全幅は、中央厚肉領域４１の幅が最大幅Ｗとなる最大幅部Ｄにおける吸収性コア４の全幅である。
【００３１】
また、ナプキン１における中央厚肉領域４１は、長手方向Ｘに沿う長さＬが、吸収性コア４の長手方向Ｘの全長に対して、好ましくは３０％以上、より好ましくは４０％以上であり、また好ましくは７０％以下、より好ましくは６０％以下であり、また好ましくは３０％以上７０％以下、より好ましくは、４０％以上６０％以下である。また、中央厚肉領域４１は、長手方向Ｘに沿う長さＬは、好ましくは７０ｍｍ以上、より好ましくは８０ｍｍ以上であり、また好ましくは２００ｍｍ以下、より好ましくは１６０ｍｍ以下であり、また好ましくは７０ｍｍ以上２００ｍｍ以下、より好ましくは８０ｍｍ以上１６０ｍｍ以下である。
【００３２】
また、前述した外側低坪量溝部５１の幅Ｗ１は、好ましくは１．０ｍｍ以上、より好ましくは２．０ｍｍ以上であり、また好ましくは１０．０ｍｍ以下、より好ましくは８．０ｍｍ以下であり、また好ましくは１．０ｍｍ以上１０．０ｍｍ以下、より好ましくは２．０ｍｍ以上８．０ｍｍ以下である。また、内側低坪量溝部５２，５３のうち、最も幅の狭い内側低坪量溝部５３の幅Ｗ３又は最も幅方向中央側に位置する内側低坪量溝部５３の幅Ｗ３は、好ましくは０．５ｍｍ以上、より好ましくは０．７ｍｍ以上であり、また好ましくは７．０ｍｍ以下、より好ましくは５．０ｍｍ以下であり、また好ましくは０．５ｍｍ以上７．０ｍｍ以下、より好ましくは０．７ｍｍ以上５．０ｍｍ以下である。
また、内側低坪量溝部５２，５３のうち、最も幅の狭い内側低坪量溝部５３の幅Ｗ３又は最も幅方向中央側に位置する内側低坪量溝部５３の幅Ｗ３は、最も幅の広い外側低坪量溝部５１の幅Ｗ１に対する割合が、好ましくは２０％以上、より好ましくは３０％以上であり、また好ましくは８０％以下、より好ましくは７０％以下であり、また好ましくは２０％以上８０％以下、より好ましくは３０％以上７０％以下である。
【００３３】
中央厚肉領域４１の厚みは、ナプキン１の肌当接面に、肌に向かって突出する隆起部１２を形成して、排泄部対向部Ｂにおける排泄部への密着性や、液の保持量等の吸収性を向上させる観点等から、周辺領域４２，４３の厚みに対して、好ましくは１１０％以上、より好ましくは１３０％以上であり、また、好ましくは２０００％以下、より好ましくは１０００％以下であり、また、着用時における違和感を抑える観点から、周辺領域４２，４３の厚みの、好ましくは１１０％以上２０００％以下、より好ましくは１３０％以上１０００％以下である。
また、中央厚肉領域４１の厚みは、同様の観点から、好ましくは３ｍｍ以上、より好ましくは５ｍｍ以上であり、また、好ましくは２０ｍｍ以下、より好ましくは１０ｍｍ以下であり、また、好ましくは３ｍｍ以上２０ｍｍ以下、より好ましくは５ｍｍ以上１０ｍｍ以下である。中央厚肉領域４１の厚みは、最も厚みの厚い部分における厚みを測定する。
【００３４】
吸収性コアの各部の厚みは下記方法によって測定される。なお、本実施形態のナプキン１のように、吸収性コアがコアラップシートで被覆されている場合、吸収性コアの各部の厚みは、該吸収性コアがコアラップシートに包まれている状態で測定する。
＜吸収性コアの各部の厚みの測定方法＞
測定対象物である吸収性コアを水平な場所にシワや折れ曲がりがないように静置し、５ｃＮ／ｃｍ2の荷重下での厚みを測定する。本発明における厚みの測定には、厚み計  ＰＥＡＣＯＣＫ  ＤＩＡＬ  ＵＰＲＩＧＨＴ  ＧＡＵＧＥＳ  Ｒ５−Ｃ（ＯＺＡＫＩ  ＭＦＧ．ＣＯ．ＬＴＤ．製）を用いた。測定に先立ち、厚み計の先端部と測定対象物における測定部分との間に、平面視円形状又は正方形状のプレート（厚さ４ｍｍのステンレス板）を配置し、荷重が５ｃＮ／ｃｍ2となるようにプレートの大きさを調整する。
【００３５】
上述したナプキン１の吸収性コア４は、外周面に集積用凹部を備えた積繊ドラム及び積繊ダクトの外周面にパルプ繊維等のコア形成材料を飛散状態で供給するダクトとを備えた公知の積繊装置を用い、集積用凹部内にコア形成材料を吸引堆積させて吸収性コアとなる堆積体を製造するに当たり、その集積用凹部として、その底部に、中央厚肉領域４１の表面形状に対応する内面形状を有する窪みを有し、その窪みの縁及びその窪み内に、低坪量溝部５１〜５３に対応する形状及び高さの難通気性部材、その窪み外に、周辺低坪量縦溝部６１と周辺低坪量横溝部６２に対応する形状及び高さの難通気性部材を固定したものを用いることにより製造することができる。難通気性部材は、非通気性部材であっても良く、例えば金属やプラスチック、セラミック等からなる。
【００３６】
表面シート２、裏面シート３及びサイドシート６としては、当該技術分野において従来用いられてきたものと同様のものを特に制限なく用いることができる。例えば、表面シート２としては、液透過性を有する不織布や、穿孔フィルムを用いることができる。裏面シート３としては、合成樹脂製の液不透過性フィルムや、スパンボンド−メルトブローン−スパンボンド積層不織布等の耐水圧が高い撥水性の不織布を用いることができる。また、サイドシート６としては、耐水圧が高い撥水性の不織布、例えば、スパンボンド−メルトブローン−スパンボンド積層不織布等を用いることができる。
【００３７】
また、吸収性コアは、パルプ繊維等の繊維材料のみからなるものであっても良いし、繊維材料と高吸水性ポリマーとの両者を含むものであっても良い。繊維材料としては、従来、生理用ナプキンやパンティライナー、使い捨ておむつ等の吸収性物品の吸収体に用いられている各種のものを特に制限なく用いることができ、例えば、パルプ繊維、レーヨン繊維、コットン繊維等のセルロース系繊維の短繊維や、ポリエチレン等の合成繊維の短繊維等が用いられる。これらの繊維は、１種を単独で又は２種以上を組み合わせて用いることができる。また、繊維材料は、全体又は一部がパルプ繊維であることが好ましく、繊維材料中のパルプ繊維の割合は５０〜１００質量％であることが好ましく、より好ましくは８０〜１００質量％であり、更に好ましくは１００質量％である。なお、吸収性コアには、高吸水性ポリマー以外に、消臭剤や抗菌剤等を必要に応じて配合しても良い。
【００３８】
以上、本発明をその好ましい実施形態に基づき説明したが、本発明は前記実施形態に制限されず、適宜変更可能である。
例えば、上述した実施形態のように、中央厚肉領域４１に第１及び第２内側低坪量溝部５２，５３を形成するのに代えて、図５（ｂ）に示すように、何れか一方の内側低坪量溝部のみを形成しても良い。また、第１及び第２内側低坪量溝部５２，５３に加えて第３の内側低坪量溝部を設けても良い。また、外側低坪量溝部５１は、中央厚肉領域４１内に形成しても良い。また、外側低坪量溝部５１及び内側低坪量溝部５２，５３は、それぞれの底部が、図２に示すように、吸収性コア４の厚み方向において、側方領域４２の表面よりも下方に達していることが好ましいが、それぞれの底部が側方領域４２の表面の位置に存在していても良いし、それぞれの底部が側方領域４２の表面より上方に位置していても良い。外側低坪量溝部５１及び内側低坪量溝部５２が、図７に示す態様で形成されていても良い。
【００３９】
また、本発明における吸収性物品は、防漏溝１３や、サイドシート６、ウイング部７、後方フラップ部８の何れか１以上を有しないものであっても良い。
また、本発明の吸収性物品は、生理用ナプキンの他、パンティライナー（おりものシート）、失禁パッド、使い捨ておむつ等の他の吸収性物品であっても良い。
【符号の説明】
【００４０】
１  生理用ナプキン（吸収性物品）
１  ナプキン
２  表面シート
３  裏面シート
４  吸収性コア
４１  中央厚肉領域
４２  側方領域（周辺領域）
４３  前後領域（周辺領域）
４７〜４９  高坪量部
５１  外側低坪量溝部
５１ａ  前部
５１ｂ  後部
５２  第１内側低坪量溝部（内側低坪量溝部）
５２ａ  前部
５２ｂ  後部
５３  第２内側低坪量溝部（内側低坪量溝部）
６１  周辺低坪量縦溝部
６２  周辺低坪量横溝部
６３  小吸収部
Ｅ１，Ｅ２  円形領域
５  吸収性本体
６  サイドシート
７  ウイング部
８  後方フラップ部
１１  周縁シール部
１２  隆起部
１３  防漏溝
【図１】
0006788978.tif 000002
【図２】
0006788978.tif 000003
【図３】
0006788978.tif 000004
【図４】
0006788978.tif 000005
【図５】
0006788978.tif 000006
【図６】
0006788978.tif 000007
【図７】
0006788978.tif 000008